(57)【要約】【課題】既に取り付けられている火災感知器と天井等の被取付け部との間への設置を簡単に行うことができる情報発信アダプタを提供する。【解決手段】火災感知器を天井等へ取付け可能である板状のベース部材に、配線が挿通可能な開口部が中央に形成され周縁部に開口部と外側空間とを連通する入口部が形成され、かつ当該ベース部材を天井等へ固定するためのネジの軸部を挿通可能な一対の穴が開口部を挟んだ状態で形成されるとともに、当該ベース部材の表面から所定距離を置いた位置に火災感知器を取付けるためのネジが螺合可能なネジ穴を有する一対の感知器固定部が設けられ、前記一対の穴とネジ穴とは、ベース部材の中心から同一半径上であって所定角度ずれた位置に形成され、分割可能であって結合した状態において配線が挿通可能な開口を中央に有するアダプタのケース部材を前記固定部に固定された火災感知器とベース部材との間に装着可能に構成した。【選択図】図３
2019061400.tif 000002
【特許請求の範囲】
【請求項１】
被取付け部に固定され、火災感知器を取付け可能である板状のベース部材と、
情報発信モジュールを内蔵し前記ベース部材に固定されるケース部材と、を備え、
前記ベース部材には、前記火災感知器に接続される配線が挿通可能な開口部が中央に形成され周縁部に前記開口部と外側空間とを連通する入口部が形成され、かつ当該ベース部材を前記被取付け部に固定するためのネジの軸部を挿通可能な一対の穴が前記開口部を挟んだ状態で形成されるとともに、当該ベース部材の表面から所定距離を置いた位置に前記火災感知器を取付けるためのネジが螺合可能なネジ穴を有する一対の感知器固定部が設けられ、
前記ベース部材の前記一対の穴と前記一対の感知器固定部のネジ穴とは、前記ベース部材の中心から同一半径上であって所定角度ずれた位置に形成され、
前記ケース部材は、分割可能であって、結合した状態において前記火災感知器に接続される配線が挿通可能な開口を中央に有し、前記感知器固定部に固定された前記火災感知器と前記ベース部材の表面との間に装着可能に構成されていることを特徴とする情報発信アダプタ。
【請求項２】
前記ベース部材の前記一対の穴と前記一対の感知器固定部のネジ穴は、
一方が前記火災感知器のベースに形成され一方の端に前記ネジの頭部が通過可能な径を有する大径部が設けられている一対の長穴の前記大径部に対向しているとき、他方が前記一対の長穴の前記大径部の反対側の端に近い部位と対向する位置関係となるように形成されていることを特徴とする請求項１に記載の情報発信アダプタ。
【請求項３】
前記ケース部材は、前記火災感知器に接続される配線が挿通可能な開口が中央に形成され周縁部に前記開口と外側空間とを連通する入口が形成されたケース本体と、前記入口に係合されてケースの外形を補完する蓋部と、を備え、
前記ケース部材は、前記ケース本体が前記感知器固定部に固定された前記火災感知器と前記ベース部材の表面との間に、スライド移動されることで装着されるように構成されていることを特徴とする請求項２に記載の情報発信アダプタ。
【請求項４】
前記ベース部材の前記一対の穴の一方および前記一対の感知器固定部のネジ穴の一方は前記ベース部材の前記入口部の近傍に形成され、
前記ベース部材の前記一対の穴の他方および前記一対の感知器固定部のネジ穴の他方は前記ベース部材の前記入口部が形成されている側と反対側の位置に形成されていることを特徴とする請求項３に記載の情報発信アダプタ。
【請求項５】
前記蓋部は、前記ベース部材の前記周縁部であって前記入口部が形成されている側と反対側の位置に固定可能に構成され、
前記ベース部材の前記一対の穴の他方と前記一対の感知器固定部のネジ穴の他方との近傍にはネジの軸部を挿通可能なネジ挿通穴が形成され、前記蓋部の前記一対の穴の他方および前記ネジ挿通穴に対向する部位には、両方の穴に跨る大きさの貫通孔が形成されていることを特徴とする請求項４に記載の情報発信アダプタ。
【請求項６】
前記ベース部材の前記蓋部の固定位置に対応する部位には、ネジの軸部を挿通可能なネジ挿通穴が形成され、前記蓋部が接合される面と反対側の面であって前記ネジ挿通穴の周縁部には、すり鉢状のテーパが形成されていることを特徴とする請求項３〜５のいずれかに記載の情報発信アダプタ。
【請求項７】
前記ケース本体の前記火災感知器と対向する面には、前記火災感知器の外壁の一部と接触可能な押圧用のリブが前記火災感知器の移動方向を向くように形成されていることを特徴とする請求項３〜６のいずれかに記載の情報発信アダプタ。
【請求項８】
前記ケース本体の前記入口の近傍には、先端に係止用の爪を有し移動方向に向かって突出する一対の係止片が形成され、
前記蓋部の前記係止片と対向する部位には段差が設けられ、
前記係止用の爪が前記段差に係合されることで前記ケース本体と前記蓋部とが結合されるように構成されていることを特徴とする請求項３〜７のいずれかに記載の情報発信アダプタ。
【請求項９】
前記ケース本体の一方の面には、前記係止片の背部へ延出するフランジ部が形成されていることを特徴とする請求項８に記載の情報発信アダプタ。
【請求項１０】
前記ケース本体の前記ベース部材の表面と対向する面の前記入口の近傍には前記移動方向に沿って案内用のリブが設けられ、
前記蓋部の前記フランジ部と対向する部位には、前記案内用のリブと平行をなし前記フランジ部の端部が摺動可能なカイド溝が設けられていることを特徴とする請求項９に記載の情報発信アダプタ。
【請求項１１】
前記感知器固定部の両側部には、抜け止め用の突起が形成されていることを特徴とする請求項３〜１０のいずれかに記載の情報発信アダプタ。
【発明の詳細な説明】
【技術分野】
【０００１】
本発明は、ビーコン等の情報発信機能を有する情報発信モジュールを内蔵した感知器のアダプタに関し、特に建物の天井等に設置される火災感知器と天井面等との間に設置可能な情報発信アダプタに関する。
【背景技術】
【０００２】
近年、機器固有の識別情報を無線により発信するビーコン等の情報発信器や当該情報発信器に電力を供給する電池などを備えた情報発信モジュールが、建物内に所定の距離をおいて設置されている位置検出システムがある。このような位置検出システムでは、複数の情報発信モジュールの各識別情報と各設置箇所とを対応付けたマップ情報（テーブル）が予め作成され、情報発信モジュールからの信号を受信可能な端末装置に記憶され、該端末装置を携帯した人間が建物内を移動した際に、端末装置が情報発信モジュールから識別情報を受信することで、受信した識別情報とマップ情報とから建物内での位置を検出するのに利用される。
マップ情報が管理装置に記憶される位置検出システムもあり、かかるシステムでは、端末装置が受信した識別情報を端末装置が管理装置へ送信することで、管理装置側において端末装置の保有者の建物内での位置を把握することができる。
【０００３】
従来、建物の天井等に設置される火災感知器には、アドレス機能付火災感知器の他に、アドレス機能を有しない火災感知器である一般火災感知器があり、この一般火災感知器にアドレス機能を付与する中継器が提案されている（例えば特許文献１参照）。特許文献１に記載されている中継器は、建物の天井等（感知器取着面）に固着する感知器ベース（ベース）と、当該感知器ベースに取付ける感知器本体（一般火災感知器）と、の間に設置可能にされる。そして、当該中継器は、自己の固有アドレスを有しており、一般火災感知器が発報した際に、発報信号とともに自己のアドレスを火災受信機に送信するよう構成されている。
【先行技術文献】
【特許文献】
【０００４】
【特許文献１】特開平１０−２９３８９１号公報
【発明の概要】
【発明が解決しようとする課題】
【０００５】
特許文献１の中継器のような技術を応用して、例えば情報発信モジュールを備えた情報発信機器をアダプタとして構成し、建物の天井等に設置される火災感知器と天井面等との間に取り付けることで、情報発信モジュール専用の設置箇所を別途設けることなく、複数の情報発信モジュールを建物の適切な位置に適当な間隔で配置することができる。
しかしながら、上記先願の中継器の場合、当該中継器を構成する構成部品（連結端子、接続端子、一般火災感知器の発報検出やアドレス付加などを行う回路が設けられた基板等）を交換する際には、感知器ベースから感知器本体を外して、感知器ベースと感知器本体との接続を解除する必要がある。
【０００６】
また、感知器ベースと感知器本体との接続が解除されると、火災感知器の機能が停止した状態、すなわち火災感知器による火災監視が中断された状態になる。従って、上記特許文献１の中継器の場合、火災感知器による火災監視が中断された状態でなければ、構成部品の交換を行うことができない。
さらに、感知器ベースと感知器本体との間に中継器等を介在させることは、火災感知器の機能や性能に影響を与えるおそれがある。
【０００７】
そこで、本発明者らは、建物の天井等に取付けられた火災感知器と天井面との間に、火災感知器の機能や性能に影響を与えることなく設置でき、かつ、火災感知器による火災監視を中断することなく構成部品の交換を行うことができる情報発信アダプタについて検討した。具体的には、火災感知器は通常、感知器ベースが２本のネジで天井面に固定され、該感知器ベースに感知器本体がワンタッチ式で装着される構成を有しているので、感知器ベースの固定用のネジ穴を利用して、感知器ベースを取り付け可能な部位を有する取付けベースプレートを取り付け、該取付けベースプレートと感知器ベースとの間に情報発信アダプタを介在させる構成を考えた。
【０００８】
その結果、取付けベースプレートに形成するネジ穴と感知器ベースを取り付ける部位とが重なると、取付けベースプレートを取り付けるネジを回すドライバが感知器ベースの取付け部位と干渉してしまうので、ネジ穴に対して感知器ベースの取付け部位の位置を所定角度だけずらす必要があることが分かった。また、天井面への取付けベースプレートの固定作業と取付けベースプレートへの感知器ベースの取付け作業を別々に行う必要があるが、これらの作業は作業員が顔を上に向けた状態で行う必要があるため、作業員への負担が大きいという課題があることが分かった。
【０００９】
また、感知器ベースによって天井面に固定するネジの位置が異なることがあるので、予め複数のネジ取付け位置に応じて、複数の箇所のネジ穴を設けた取付けベースプレートを用意しなければならない。しかし、複数のネジ取付け位置に応じて、取付けベースプレートに複数の箇所のネジ穴を設けたとしても、取付けベースプレートと感知器ベースとの間に介在される情報発信アダプタによってネジ穴が見えなくなるおそれがある一方、取付けプレートのすべてのネジ穴に対応して情報発信アダプタのケースにドライバを挿入可能な貫通孔を設けようとすると、発信モジュールや電池などの部品を収納する空間が狭められてしまうという課題があることが明らかとなった。
【００１０】
本発明は、上記のような課題に着目してなされたもので、既に取り付けられている火災感知器と天井等の被取付け部との間への設置を簡単に行うことができ、作業員への負担を軽くすることができる情報発信アダプタを提供することにある。
本発明の他の目的は、火災感知器の種類によって天井面に固定するネジの位置が異なる場合にも、部品収納空間を狭めることなく火災感知器と天井等の被取付け部との間へ介在させることができる情報発信アダプタを提供することにある。
なお、本発明の他の課題は、以下に説明する実施形態の中で明らかにされる。
【課題を解決するための手段】
【００１１】
上記課題を解決するため、本発明の情報発信アダプタは、
被取付け部に固定され、火災感知器を取付け可能である板状のベース部材と、
情報発信モジュールを内蔵し前記ベース部材に固定されるケース部材と、を備え、
前記ベース部材には、前記火災感知器に接続される配線が挿通可能な開口部が中央に形成され周縁部に前記開口部と外側空間とを連通する入口部が形成され、かつ当該ベース部材を前記被取付け部に固定するためのネジの軸部を挿通可能な一対の穴が前記開口部を挟んだ状態で形成されるとともに、当該ベース部材の表面から所定距離を置いた位置に前記火災感知器を取付けるためのネジが螺合可能なネジ穴を有する一対の感知器固定部が設けられ、
前記ベース部材の前記一対の穴と前記一対の感知器固定部のネジ穴とは、前記ベース部材の中心から同一半径上であって所定角度ずれた位置に形成され、
前記ケース部材は、分割可能であって、結合した状態において前記火災感知器に接続される配線が挿通可能な開口を中央に有し、前記感知器固定部に固定された前記火災感知器と前記ベース部材の表面との間に装着可能に構成したものである。
【００１２】
上記した手段によれば、ベース部材の一対の穴と一対の感知器固定部のネジ穴とは、ベース部材の中心から同一半径上であって所定角度ずれた位置に形成されているため、既設の火災感知器を外してベース部材をネジによって被取付け部に固定し、このベース部材に感知器固定部をネジによって固定することができるので、取付けを簡単に行うことができるとともに、ベース部材が安定した被取付け部とみなすことができる部材となり、火災感知器の機能や性能に影響を与えることなく情報発信アダプタを設置することができる。
【００１３】
ここで、望ましくは、前記ベース部材の前記一対の穴と前記一対の感知器固定部のネジ穴は、一方が前記火災感知器のベースに形成され一方の端に前記ネジの頭部が通過可能な径を有する大径部が設けられている一対の長穴の前記大径部に対向しているとき、他方が前記一対の長穴の前記大径部の反対側の端に近い部位と対向する位置関係となるように形成する。
かかる構成によれば、ベース部材に火災感知器のベースを組み付けた状態で天井等の被取付け部への取付けを行い、その後にベース部材に火災感知器のベースとの間へ情報発信アダプタの設置を行うことができるため、上を向いて行う作業を減らし、作業員への負担を軽くすることができる。
【００１４】
また、望ましくは、前記ケース部材は、前記火災感知器に接続される配線が挿通可能な開口が中央に形成され周縁部に前記開口と外側空間とを連通する入口が形成されたケース本体と、前記入口に係合されてケースの外形を補完する蓋部と、を備え、
前記ケース部材は、前記ケース本体が前記感知器固定部に固定された前記火災感知器と前記ベース部材の表面との間に、スライド移動されることで装着されるように構成する。
かかる構成によれば、蓋部が固定された状態で取付け用のベース部材を天井等の被取付け部へ取付けた後に、ケース部材（アダプタケース）のケース本体をベース部材の下面に沿ってスライドさせる操作を行うと、建物の天井等の被取付け部に設置される火災感知器と取付け面との間に情報発信アダプタを設置することができるため、取付け作業を簡単に行うことができる。
【００１５】
また、望ましくは、前記ベース部材の前記一対の穴の一方および前記一対の感知器固定部のネジ穴の一方は前記ベース部材の前記入口部の近傍に形成され、
前記ベース部材の前記一対の穴の他方および前記一対の感知器固定部のネジ穴の他方は前記ベース部材の前記入口部が形成されている側と反対側の位置に形成する。
かかる構成によれば、取付け用のベース部材を天井等の被取付け部へ取付けるためのネジを挿通する穴の近傍に、火災感知器をベース部材の感知器固定部へ取付けるためのネジ穴が配置されるため、火災感知器に設けられている作動状態を示すランプの位置が、情報発信アダプタを設置する前の角度位置から大きくずれることがないため、情報発信アダプタの設置に伴って、ランプの見え方が大きく変わるのを回避する、つまりランプの角度位置が大きく変わることで所定の方向から見えにくくなる（死角が生じる）のを回避することができる。
【００１６】
さらに、望ましくは、前記蓋部は、前記ベース部材の前記周縁部であって前記入口部が形成されている側と反対側の位置に固定可能に構成され、
前記ベース部材の前記一対の穴の他方と前記一対の感知器固定部のネジ穴の他方との近傍にはネジの軸部を挿通可能なネジ挿通穴が形成され、前記蓋部の前記一対の穴の他方および前記ネジ挿通穴に対向する部位には、両方の穴に跨る大きさの貫通孔が形成されているように構成する。
【００１７】
かかる構成によれば、取付け用のベース部材を天井等の被取付け部へ取付けるためのネジを挿通する複数の穴が蓋部と重なる位置に互いに近接して配設されているため、作動状態を示すランプの視野角が極端に変わってしまったりアダプタケースの部品収納空間を狭めたりすることがないとともに、蓋部に上記複数の穴に対応した大きな貫通孔が設けられているため、該貫通孔にネジおよびドライバ等の工具を挿入することができ、これにより蓋部が固定された状態で取付け用のベース部材を天井等の被取付け部へ取付けることができる。
【００１８】
また、望ましくは、前記ベース部材の前記蓋部の固定位置に対応する部位には、ネジの軸部を挿通可能なネジ挿通穴が形成され、前記蓋部が接合される面と反対側の面であって前記ネジ挿通穴の周縁部には、すり鉢状のテーパが形成されているようにする。
かかる構成によれば、ネジの頭を天井面と金属板の間に隠すことができるので、作業現場で不用意にネジを操作されることがない。また、天井面と金属板の間に隙間が生じるのを回避することができる。
【００１９】
また、望ましくは、前記ケース本体の前記火災感知器と対向する面には、前記火災感知器の外壁の一部と接触可能な押圧用のリブが前記火災感知器の移動方向を向くように形成されているようにする。
このように、ケース本体の火災感知器と対向する面にリブを設けることにより、アダプタケース装着の際にこのリブの上に感知器のベースの外壁の一部が乗り上げることでアダプタケースの表面が押圧され、それによって、装着後のアダプタケースががたつくのを抑えることができる。また、移動方向を向くようにリブを形成することで、リブの上に感知器のベースの外壁の一部が乗り上げ易くなり、アダプタケースの装着作業が簡単に行なえる。
【００２０】
また、望ましくは、前記ケース本体の前記入口の近傍には、先端に係止用の爪を有し移動方向に向かって突出する一対の係止片が形成され、
前記蓋部の前記係止片と対向する部位には段差が設けられ、
前記係止用の爪が前記段差に係合されることで前記ケース本体と前記蓋部とが結合されるように構成する。
かかる構成によれば、ケース部材（アダプタケース）のケース本体に設けられている係止片先端の爪を、蓋部の段差部に係合させることで、ケース本体と蓋部とを簡単に結合して一体化させることができる。また、感知器を着脱するための器具に似た構成の着脱器具を用いてケース本体をベース部材に着脱する際に、着脱器具の一部を蓋部の段差部に生じる凹みに係合させることで、器具のふらつきを押さえて着脱作業を容易に行えるようになる。
【００２１】
さらに、望ましくは、前記ケース本体の一方の面には、前記係止片の背部へ延出するフランジ部が形成されているようにする。
かかる構成によれば、ケース本体から延出するフランジが係止片の背部に位置することで、ケース本体と蓋部との結合を外すため、係止片の先端の爪を工具で押し下げた際に、係止片の変形を抑制して係止片が破損されるのを防止するとともに、係止片先端の爪の係合部がフランジの陰になって見えなくなり、見映えを良くすることができる。
【００２２】
さらに、望ましくは、前記ケース本体の前記ベース部材の表面と対向する面の前記入口の近傍には前記移動方向に沿って案内用のリブが設けられ、
前記蓋部の前記フランジ部と対向する部位には、前記案内用のリブと平行をなし前記フランジ部の端部が摺動可能なカイド溝を設ける。
このように構成することにより、ケース部材（アダプタケース）の差込みのためにケース本体をベース部材に沿って移動させる際に、正しい方向へ案内することができ、ケース部材の装着作業が容易に行えるようになる。
【００２３】
また、望ましくは、前記感知器固定部の両側部には、抜け止め用の突起が形成されているようにする。
このように構成することにより、挿入されたケース本体がベース部材から簡単に外れないようにすることができる。
【発明の効果】
【００２４】
本発明の情報発信アダプタによれば、既に取り付けられている火災感知器と天井等の被取付け部との間への設置を簡単に行うことができるとともに、上（天井）を向いて行う作業が減り作業員への負担を軽くすることができる。また、火災感知器の種類によって天井面に固定するネジの位置が異なる場合にも、部品収納空間を狭めることなく火災感知器と天井等の被取付け部との間へ介在させることができる情報発信アダプタを実現することができるという効果がある。
【図面の簡単な説明】
【００２５】
【図１】本発明の実施形態に係る情報発信アダプタの外観を示すもので、（Ａ）はアダプタを天井等の取付け面と火災感知器の感知器ベースとの間に設置した状態を示す正面図、（Ｂ）はその下面図である。
【図２】図１に示す火災感知器を構成する感知器ベースの一例を示す下面図である。
【図３】実施形態の情報発信アダプタを構成するアダプタケースおよび取付けベースプレートの一例を示す分解斜視図である。
【図４】取付けベースプレートへ感知器ベースを取り付けた状態を示す下面図である。
【図５】取付けベースプレートにアダプタケースの蓋部を取り付けた状態を示す斜視図である。
【図６】実施形態の情報発信アダプタの取付けベースプレートにアダプタケースを組み付けた状態を示す斜視図である。
【図７】取付けベースプレートにアダプタケースを組み付けた状態を図６と反対側から見た様子を示す斜視図である。
【図８】アダプタケースのケース本体と蓋部を結合する部位の構造を示すもので、（Ａ）は結合前の状態を示す斜視図、（Ｂ）は結合後の状態を示す斜視図である。
【図９】実施形態の情報発信アダプタのケースを取付けベースプレートに組み付けた状態の断面図である。
【図１０】取付けベースプレートに設けられているネジの挿通穴と該挿通穴に挿通されるネジの頭部との干渉の様子を示すもので、（Ａ）はネジの挿通穴の形成位置を示す図、（Ｂ）は情報発信アダプタのケース本体におけるネジの頭部との干渉範囲を示す図、（Ｃ）は情報発信アダプタのケース本体に設けられる逃がし用の凹部の形成範囲を示す図である。
【発明を実施するための形態】
【００２６】
以下、本発明に係る情報発信アダプタの実施形態について図面を参照しながら説明する。なお、以下の説明では、天井面に取り付けられた際に天井側となる方を上側とし、床側となる方を下側とする。
図１（Ａ），（Ｂ）は、本発明の実施形態に係る情報発信アダプタを天井等の取付け面と火災感知器の感知器ベースとの間に設置した状態を示す正面図およびそれを下方から見た図である。また、図２は、火災感知器の感知器ベースの一例を示す図であって、下側から見た図である。
【００２７】
本実施形態の情報発信アダプタ１００は、図１（Ａ）に示すように、火災感知器２００と、当該火災感知器２００が取付けられる天井面などの被取付け部Ｐと、の間に設置可能に構成されている。ここで、被取付け部Ｐは、天井面の他、屋内配線等に用いられるボックス（アウトレットボックス、露出ボックス等）や感知器取付け金具などであっても良い。
火災感知器２００は、図１（Ａ）に示すように、略円盤状の感知器ベース２１０と、外形がドーム状をなし作動状態を表示するスポット型のランプＬ１（あるいはリング状の発光部）が設けられている感知器本体２２０と、を備えている。
【００２８】
ここで、感知器ベース２１０は、火災感知器２００の基部となる部材であり、通常、固定ネジＮ１によって被取付け部Ｐに取付けられているが、本実施形態の場合、固定ネジＮ１によって取付けベースプレート１１０が被取付け部Ｐに取付けられ、感知器ベース２１０は、固定ネジＮ２によって取付けベースプレート１１０の固定部（後述）に取付けられる。このとき、取付けベースプレート１１０と感知器ベース２１０との間に情報発信アダプタ１００を介在させる空間が確保されるようになっている。
【００２９】
なお、取付け状態において、火災感知器２００の中心と情報発信アダプタ１００の中心は一致している。固定ネジＮ２が螺合されるネジ穴は、固定ネジＮ１が螺合されるネジ穴に対して所定角度（２０〜３０°）回転した位置に設けられており、火災感知器２００が被取付け部Ｐに取付けられているときのランプＬ１の位置を点線Ｂで示すと、取付けベースプレート１１０の固定部に取付けられているときのランプＬ１の位置は実線のようになる。
上記のようにネジ穴の位置をずらすことによって、固定ネジＮ１を回す際にドライバが、固定ネジＮ２が螺合されるネジ穴が形成されている部材と干渉しないように構成されている。これらネジ穴の位置関係については、後に詳しく説明する。
【００３０】
感知器ベース２１０は、図２に示すように、円筒状をなす難燃性樹脂からなる本体２１１と、本体２１１の下面側に装着された複数（本実施形態では３つ）の接続端子２１２と、を備えている。上記接続端子２１２は、天井面等の取付け面に形成された開口から引き出された電源線や伝送線などの感知器配線Ｑ（図１）を、感知器本体２２０に電気的に接続するためのものである。接続端子２１２は、箱型部分２１２ａと、当該箱型部分２１２ａから延出するブレード状部分２１２ｂと、を有している。箱型部分２１２ａは、電線接続端子であり、当該箱型部分２１２ａに設けられた差込穴２１２ａ１に感知器配線Ｑの先端が差込まれるようになっている。ブレード状部分２１２ｂは、連結端子であり、火災の感知を実際に行う感知器本体２２０に設けられた爪片（連結端子）と係合して当該感知器本体２２０を保持するようになっている。
【００３１】
感知器ベース２１０の本体２１１には、一対の第一ネジ挿通穴２１３と、一対の第二ネジ挿通穴２１４と、一対の第三ネジ挿通穴２１６が感知器ベース２１０の厚さ方向（上下方向）に貫通して設けられている。これらのネジ挿通穴２１３、２１４、２１６は、固定ネジＮ１用のネジ挿通穴（固定ネジＮ１の軸部が挿通可能な穴）として設けられたものであるが、本実施形態の場合、第一ネジ挿通穴２１３を、固定ネジＮ２用のネジ挿通穴（固定ネジＮ２の軸部が挿通可能な穴）として使用する。したがって、固定ネジＮ１用のネジ穴として設けられた第一ネジ穴２１３を、固定ネジＮ２用のネジ穴として使用できるよう、固定ネジＮ２として、固定ネジＮ１と同一形状のネジ、あるいは固定ネジＮ１と軸部の長さのみが異なるネジを用いる。
【００３２】
第一ネジ挿通穴２１３は、略円盤状の感知器ベース２１０と同心の円周方向に沿って延びる円弧状に形成されている。そして、第一ネジ挿通穴２１３が配置される円周の中心と、第二ネジ挿通穴２１４が配置される円周の中心と、感知器ベース２１０の中心と、は同一である。なお、感知器ベース２１０の中心から第一ネジ挿通穴２１３までの距離は、感知器ベース２１０の中心から第二ネジ挿通穴２１４までの距離より僅かに短い。
円弧状の上記第一ネジ挿通穴２１３の一方の端部には、円弧部の幅よりも大きな径の大径部２１３ａが形成されている。この大径部２１３ａは、もともとは天井等の被取付け部Ｐに固定ネジＮ１の先端を螺合させた後に感知器ベースを装着させることができるように、つまり感知器ベースの装着の際に固定ネジＮ１の頭部が邪魔にならないようにするために設けられたものである。
【００３３】
本実施形態では、第一ネジ挿通穴２１３の大径部２１３ａを利用して固定ネジＮ１によって取付けベースプレート１１０を被取付け部Ｐに取付けることができるように、取付けベースプレート１１０にネジ挿通穴１１３Ａ，１１３Ｂ（図５参照）が形成されているとともに、第一ネジ挿通穴２１３の大径部と反対側の端部において固定ネジＮ１によって感知器ベース２１０を取付けベースプレート１１０に取付けられるように固定部（後述）が設けられている。大径部２１３ａを利用して固定ネジＮ１によって取付けベースプレート１１０を取付けるとは、大径部２１３ａを利用してドライバを挿入して固定ネジＮ１を回すことを可能とするという意味である。
上記のように構成することで、情報発信アダプタ１００と感知器ベース２１０を新たに設置する際の取り付け作業が簡単になる。
【００３４】
具体的には、例えば新築時のように、情報発信アダプタ１００と感知器ベース２１０及び感知器ヘッド２２０を各々新規に取付ける場合、その手順は、脚立を使用してまず天井面に取付けベースプレート１１０を取付け、次に感知器ベースの取付け、感知器ベースへの結線、感知器ヘッドの取付け、情報発信アダプタの挿入となる。この場合、取付けベースプレートと感知器ベースを別々に天井面に取付けることとなるため、作業員が天井を向いて行う作業が多く負担がかかるが、本実施形態のような構成であれば、予め、脚立使用前に取付けベースプレート１１０と感知器ベース２１０を組み立てておいて、組み付いた状態の取付けベースプレートと感知器ベースを天井面に取付ければよいので、天井を向いて行う作業を減らすことができ、作業負担を軽くすることができる。
【００３５】
また、既設備において、情報発信アダプタ１００を後から装着する場合の感知器ベース２１０の付け替え作業においても、もともとの感知器ベース２１０の取付け穴が第一ネジ挿通穴２１３または第二ネジ挿通穴２１４または第三ネジ挿通穴２１６であれば、感知器ベースを天井面から取り外し、取付けベースプレートと感知器ベースとを組み立て、組み立てられた状態の取付けベースプレート１１０と感知器ベース２１０を天井面に取付けることができるため、天井を向いて行う作業を減らすことができ、作業負担を軽くすることができる。
また、感知器ベース２１０の本体２１１の略中央部には、感知器配線Ｑの先端部を感知器ベース２１０の上面側から下面側へと引込むための引込穴２１５が、感知器ベース２１０の厚さ方向（上下方向）に貫通して設けられている。
【００３６】
図３〜図６は、本実施形態に係る情報発信アダプタ１００の一例を示す図である。このうち図３は情報発信アダプタ１００の分解斜視図、図４は情報発信アダプタ１００を天井面等に取付けるための取付けベースプレート１１０を天井面等に固定する固定ネジＮ１とネジ穴との関係および感知器ベース２１０を取付けベースプレート１１０に固定する固定ネジＮ２とネジ穴との関係を示す図、図５は取付けベースプレート１１０にアダプタケース１２０の蓋部１２０Ｂを取り付けた状態の斜視図である。また、図６は情報発信アダプタ１００を組み立てた状態を示す斜視図である。
【００３７】
本実施形態の情報発信アダプタ１００は、図３に示すように、略円板状をなす取付けベースプレート１１０と、円盤状をなす合成樹脂製のアダプタケース１２０とを有する。取付けベースプレート１１０は、もともと感知器ベース２１０を固定するために設けられているネジ穴を利用してネジによって天井面等に固定されるとともに、後述するように、感知器ベース２１０を固定するため逆Ｌ字状のベース固定部１１１Ａ，１１１Ｂが設けられ、該ベース固定部に感知器ベース２１０を固定した際に感知器ベース２１０の上面と取付けベースプレート１１０の下面との間に空間が生じるようにして、この空間に情報発信アダプタ１００を介在させるという構成になっている。
【００３８】
上記ベース固定部１１１Ａ，１１１Ｂの上面には、図５に示すように、取付けベースプレート１１０の中心から同一距離位置であって、感知器ベース２１０の第一ネジ挿通穴２１３と同一半径位置に、ネジ穴１１１ａ，１１１ｂが形成されている。また、取付けベースプレート１１０のプレート部には、ネジ穴１１１ａ，１１１ｂと同一半径位置に、一対の円弧状のネジ挿通用の長穴１１２Ａ，１１２Ｂが形成されている。この長穴１１２Ａ，１１２Ｂの端部には、ネジＮ１の頭部が通過可能な大径穴が設けられ、ネジＮ１を緩めるだけで取付けベースプレート１１０の着脱が可能になっている。
【００３９】
感知器ベース２１０が、天井面等に一対のネジＮ１により第一ネジ挿通穴２１３を使用して取り付けられていた場合には、ネジＮ１を緩めて感知器ベースを外し、取付けベースプレート１１０のネジ挿通用の長穴１１２Ａ，１１２Ｂを使用して取付けベースプレート１１０を天井面に取り付けた後、ベース固定部１１１Ａ，１１１Ｂの上面のネジ穴１１１ａ，１１１ｂにネジＮ２を使用して感知器ベースを取り付けることができる。
また、新規に、天井面等の被取付け部に情報発信アダプタ１００および感知器を取り付ける場合、取付けベースプレート１１０の一対のネジ挿通穴１１３Ａ，１１３Ｂを使用して取付けベースプレート１１０をネジＮ１により被取付け部に取付けた後、取付けベースプレート１１０のベース固定部１１１Ａ，１１１Ｂに、ネジＮ２により第一ネジ挿通穴２１３を使用して感知器ベース２１０を取り付けることができる。
【００４０】
上記のように、ネジＮ１を挿通する取付けベースプレート１１０の穴１１２Ａ，１１２Ｂと１１３Ａ，１１３Ｂが、感知器ベース２１０を取り付けるネジＮ２が螺合されるネジ穴１１１ａ，１１１ｂと同一半径位置であっても、円周方向にずれているため、干渉することなくネジＮ１，Ｎ２を回すことができる。
しかも、取付けベースプレート１１０を被取付け部に取付けるためのネジＮ１を、図４に示すように、感知器ベース２１０の円弧状の第一ネジ挿通穴２１３の大径部と取付けベースプレート１１０のネジ挿通穴１１３Ａ（１１３Ｂ）に挿通して取り付けることができるので、取付けベースプレート１１０と感知器ベース２１０をネジＮ２により結合した後に、感知器ベース２１０の円弧状の第一ネジ挿通穴２１３の大径部にネジＮ１とドライバを挿入して回すことができる。そのため、天井を向いて行う作業を減らすことができ、作業者の負担を軽くすることができる。
【００４１】
なお、天井面等の被取付け部Ｐに取付けられた取付けボックスの被取付け用の一対のネジ穴間隔が、感知器ベースの一対の第一ネジ挿通穴２１３（図３）の間隔と異なる場合には、一対の第二ネジ挿通穴２１４または一対の第三ネジ挿通穴２１６がこの間隔になるように形成されており、この場合、取付けベースプレート１１０の第二ネジ挿通穴２１４に対応する穴１１７Ａ、１１７Ｂまたは第三ネジ挿通穴２１６に対応する穴１１８Ａ、１１８Ｂを使用して、取付けベースプレート１１０を取付けボックスに取り付けることができる。
【００４２】
また、感知器ベース２１０が、天井面等に、ネジＮ１により直接、一対の第二ネジ挿通穴２１４や一対の第三ネジ挿通穴２１６を使用して取り付けられていた場合には、ネジＮ１により、取付けベースプレート１１０の穴１１７Ａ、１１７Ｂまたは穴１１８Ａ、１１８Ｂを使用して、取付けベースプレート１１０を天井面に取り付けても良い。
なお、感知器ベース２１０は、ネジＮ２により、取付けベースプレート１１０のネジ穴１１１ａ、１１１ｂを使用して取り付けられるが、作動表示灯の向きを考慮して、感知器ベースにおいては、ネジ穴１１１ａ、１１１ｂと同径の感知器ベース２１０の穴２１３が統一して使用される。
【００４３】
また、新規に、天井面等被取付け部に取付けベースプレート１１０を取り付ける場合も、一対の長穴１１２Ａ、１１２Ｂを使用せずに、穴１１７Ａ、１１７Ｂまたは穴１１８Ａ、１１８Ｂを使用して取り付けても良い。
取付けベースプレート１１０の長穴１１２Ａ，１１２Ｂの縁部に付されているマークＭ１（図３）と感知器ベース２１０の長穴２１３の縁部に付されているマークＭ２（図２）は、天井等に既に設置されている感知器を外して取付けベースプレート１１０を固定し、感知器を付け替える際に、ネジＮ１，Ｎ２を取り付ける位置を示す目印である。これにより、位置合わせがし易くなる。
【００４４】
なお、上記取付けベースプレート１１０は、感知器ベース２１０の外径よりも大きな外径を有するように形成され、該取付けベースプレート１１０に、情報発信モジュールや電池を内蔵したアダプタケース１２０が接合される。
アダプタケース１２０は、円筒の外周の一部を切り欠いたような形状を有するケース本体１２０Ａと上記切欠き部分を補完するように係合される蓋部１２０Ｂとからなり、情報発信モジュールや電池などの発振器の構成部品は、ケース本体１２０Ａの内部空間に収納される。
【００４５】
本実施形態においては、図５に示すように、先ず蓋部１２０Ｂが取付けベースプレート１１０に接合された状態で結合され、その後、図６に示すように、ケース本体１２０Ａに蓋部１２０Ｂが係合されることで、全体として円盤状をなすように構成されている。ここで、蓋部１２０Ｂは、取付けベースプレート１１０にネジで結合されるように構成されている。具体的には、蓋部１２０Ｂが合成樹脂で形成されているとともに、取付けベースプレート１１０の蓋部１２０Ｂ装着部位には、図７に示すように、ネジ挿通穴１１９が設けられ、取付けベースプレート１１０の裏面（上面）のネジ挿通穴１１９の縁にはすり鉢状の凹みが形成されている。
【００４６】
そのため、このネジ挿通穴１１９に皿ネジ１９０Ａを挿通してねじ込むと、皿ネジ１９０Ａがタップを切りながら蓋部１２０Ｂに進入することによって、取付けベースプレート１１０と蓋部１２０Ｂの結合が行われる。
なお、蓋部１２０Ｂは装着後に取り外す必要がないので、樹脂にタップを切るようにして皿ネジ１９０Ａを取り付けても問題がない。また、取付けベースプレート１１０の裏面（上面）から皿ネジ１９０Ａをねじ込む構成であるため、ネジの頭を天井面と金属板の間に隠すことができるので、施工現場で不用意にネジを操作されることがない。また、ネジ挿通穴１１９の縁にはすり鉢状の凹みが形成されているため、ネジの頭が取付けベースプレート１１０の裏面から突出せず、取付けベースプレート１１０と天井面との間に隙間が生じることもないという利点がある。
【００４７】
さらに、取付けベースプレート１１０は蓋部１２０Ｂが装着された状態で、ネジＮ１によって天井面等に取付けることができるように工夫がなされている。具体的には、蓋部１２０Ｂが、取付けベースプレート１１０のネジ挿通用の穴１１３Ｂ，１１７Ｂが形成されている部位に結合されるように構成されており、蓋部１２０Ｂの当該部位には、図６に示すように、穴１１３Ｂ，１１７Ｂを囲むようにしてドライバの先端を挿入可能な大きさの貫通孔１２０ｄが形成されている。また、取付けベースプレート１１０に設けられている長穴１１２Ｂや穴１１８Ｂと重ならないように、蓋部１２０Ｂの形状が設定されている。
これにより、蓋部１２０Ｂに邪魔されることなく、穴１１２Ｂ、１１８Ｂあるいは貫通孔１２０ｄ内に位置する穴１１３Ｂまたは１１７Ｂに挿通されたネジＮ１をドライバで回して、天井面等の被取付け部に設けられているネジ穴に螺合させて、取付けベースプレート１１０を固定することができる。
【００４８】
また、ケース本体１２０Ａは、図３に示すように、本体の中央に、感知器配線を挿通可能にする開口１２３が形成されているとともに、本体外周の一部に、上記開口１２３と外側とを連通させる開口入口部１２４が形成されている。
一方、取付けベースプレート１１０は、上記アダプタケース１２０の外径と略同一の外径を有する略円形状の板部材であり、１枚の金属プレートをプレス加工等により成型して形成されており、ほぼ中央部に、感知器配線を挿通させるため、情報発信アダプタ１００に火災感知器２００を取付けた状態において感知器ベース２１０の引込穴２１５（図２参照）と対向するよう開口部１１４が設けられている。また、取付けベースプレート１１０には、周縁部からこの開口部１１４まで連続するように配線の挿入口１１５が形成されている。
上記のような構成を有することにより、既設の火災感知器に情報発信アダプタ１００を取り付ける際に、感知器から配線を外すことなく作業が行える。
【００４９】
さらに、取付けベースプレート１１０には、配線の挿入口１１３の縁部に沿ってガイド片１１６が形成されている。一方、アダプタケース１２０のケース本体１２０Ａの表面（上面）には、上記ガイド片１１６と係合する溝（図示省略）が形成されており、この溝をガイド片１１６に係合させた状態でケース本体１２０Ａを移動させることで、アダプタケース１２０のケース本体１２０Ａを案内するレールとして機能するようになっている。また、特に限定されるものでないが、ガイド片１１６の延長上にガイド片１１６と直線をなすガイド片を形成しても良い。さらに、ベース固定部１１１Ｂを挟んで反対側の位置に、ガイド片１１６と平行をなすガイド片を形成しても良い。
【００５０】
上述したように複数のガイド片（レール）を設けることにより、ケース本体１２０Ａの移動を円滑にすることも考えられるが、本実施形態のように、ガイド片（レール）を１本にすることで、金属プレートに余計な肉抜き加工をする必要がなくなり、取付けベースプレート１１０の強度が低下するのを回避することができる。また、アダプタケース１２０のケース本体１２０Ａ側に、２本のレールと係合する２つの溝を形成する必要がなくなるため、溝を設けることに伴い内部空間が狭められるのを回避することができ、アダプタケース１２０の収容部の容積も広げられ、電池等より多くの構成部品を収納することができるようになるという利点がある。
【００５１】
アダプタケース１２０のケース本体１２０Ａの表面（上面）には、図６に示すように、蓋部１２０Ｂと反対側の部位に、中央側へ向かって下り傾斜するテーパ面を有する押圧用リブ１２５Ａ，１２５Ｂが形成されている。取付けベースプレート１１０と感知器ベース２１０との間に形成される空間にアダプタケース１２０を挿入し易くするには、アダプタケース１２０の厚みを若干薄くするのが良いが、そのようにすると、装着後のアダプタケース１２０が上下に揺れてがたついてしまうおそれがある。そのため、上記のような押圧用リブ１２５Ａ，１２５Ｂを形成することによって、アダプタケース装着の際にこの押圧用リブ１２５Ａ，１２５Ｂの上に感知器ベース２１０の外壁の一部が乗り上げることでアダプタケース１２０の表面が押圧され、それによって、装着後におけるアダプタケース１２０のがたつきを抑えることができるようになる。
【００５２】
また、アダプタケース１２０のケース本体１２０Ａの下面を支える面積を大きくしている。具体的には、図５に示されているように、取付けベースプレート１１０のベース固定部１１１Ａ下端の水平片に、中心側へ広がる膨出部１１１ｃを設けてある。これにより、ケース本体１２０Ａの下面とベース固定部１１１Ａ下端の水平片部との接触面積が大きくなるとともに、膨出部１１１ｃがアダプタケース１２０の重心のある中心側へ広がるように形成されているので、安定してアダプタケース１２０を支えることができる。
また、ケース本体１２０Ａの開口側の蓋部１２０Ｂと接する部位やベース固定部１１１Ｂ下端の水平片部と接触する部位には段差が形成され、蓋部１２０Ｂやベース固定部１１１Ｂの縁部に引っ掛けることができ、より安定してアダプタケース１２０を支えることができるようになっている。
【００５３】
さらに、本実施形態においては、アダプタケース１２０の開口入口部１２４が広がってケース本体１２０Ａが外れてしまわないように、ケース本体１２０Ａと蓋部１２０Ｂおよび取付けベースプレート１１０との結合力を高める工夫がなされている。以下、工夫された結合構造について説明する。
先ず、第１に、図５に示されているように、上記ベース固定部１１１Ａ，１１１Ｂ下端の水平片の両側部に、突起Ｐ１，Ｐ２がそれぞれ設けられており、該突起Ｐ１，Ｐ２に対応してアダプタケース１２０のケース本体１２０Ａの側面には突起Ｐ１，Ｐ２と係合可能な小さな凹部が形成されている。突起Ｐ１，Ｐ２が凹部と係合することで、挿入されたケース本体１２０Ａが抜けにくくなる。ベース固定部１１１Ｂも同様である。
【００５４】
第２に、図８（Ａ）に示すように、アダプタケース１２０のケース本体１２０Ａの蓋部１２０Ｂに対向する外壁に、水平方向へ突出する係止片１２８が設けられ、蓋部１２０Ｂの外壁の対応する部位には係止片１２８が入り込む切欠き１２９が形成され、該切欠き１２９の上端に上記係止片１２８の先端の爪１２８ａが係合する段差部１２９ａが設けられている。図示しないがケース本体１２０Ａの開口入口部１２４を挟んだ反対側にも同様な構造が設けられている。
そのため、ケース本体１２０Ａを前記ガイド片１１６および取付けベースプレート１１０の上面に沿ってスライド移動させながら押し込むと、図８（Ｂ）に示すように、上記係止片１２８の先端の爪１２８ａが上記蓋部１２０Ｂの切欠き１２９の段差部１２９ａに係合して、ケース本体１２０Ａと蓋部１２０Ｂとを結合させることができる。
【００５５】
なお、係止片１２８の先端の爪１２８ａが切欠き１２９の段差部１２９ａに係合した状態では、先端の爪１２８ａが蓋部１２０Ｂの外側に臨むようになるため、指あるいはドライバ等の工具で係止片１２８の先端の爪１２８ａを押し下げると、ケース本体１２０Ａと蓋部１２０Ｂとの結合を解除することができる。
さらに、本実施形態においては、係止片１２８の先端の爪１２８ａを工具で押し下げる際に、力を入れ過ぎることで係止片１２８が破損されるのを防止するため、係止片１２８の背部（下方）へ延出するフランジ部１２０ｆがケース本体１２０Ａに設けられている。また、蓋部１２０Ｂの外壁には、図８（Ａ）に示すように、ケース本体１２０Ａを装着する際に上記フランジ部１２０ｆを案内するカイド溝１２０ｇが設けられている。
【００５６】
このようなカイド溝１２０ｇを設けることで、前述したように、ガイド片１１６が配線の挿入口１１５の近傍に１つだけ設けられていても、ケース本体１２０Ａを装着する際に正しい挿入方向へ誘導することができるとともに、係止片１２８が切欠き１２９に係合するまでの間、本体ケースの変形による開口の広がりを抑制することができる。
さらに、蓋部１２０Ｂには、図６に示すように、弓形補完部１２６の周縁部中央に、厚さ方向に貫通された貫通穴１２７が形成されている。この貫通穴１２７は、内部に侵入した水を排出させる水抜き穴として機能するとともに、ケース本体１２０Ａの挿入方向と平行な中心線上に設けられているため、特開２００５−３５２８０１号公報に記載されている感知器を着脱する器具に似た構成の着脱器具を用いてケース本体１２０Ａを取付けベースプレート１１０に着脱する際に、着脱器具の一部を上記貫通穴１２７や蓋部１２０Ｂの切欠き１２９に係合させることで、器具のふらつきを押さえて着脱作業を容易に行えるようにするために利用することができる。
【００５７】
次に、図５に示すように、アダプタケース１２０の蓋部１２０Ｂを、取付けベースプレート１１０を天井面等に固定するための複数のネジ挿通穴１１２Ｂ，１１３Ｂ，１１７Ｂ、１１８Ｂが集中して設けられている位置（配線挿入口１１５と反対側の位置）に固定するようにした理由について説明する。
第１の理由は、本実施形態においては、前述したように、既設の火災感知器に情報発信アダプタ１００を装着した際に、ランプＬ１の位置は元の位置から所定角度（２０〜３０°）回転した位置になるが、その角度が大きいとランプＬ１の視野角すなわち見え方が極端に変わってしまうので望ましくなく、角度を小さくするには、蓋部１２０Ｂを上記のような位置に設定するのが良いためである。
【００５８】
第２の理由は、アダプタケース１２０と感知器ベース２１０とを一体に結合した状態で天井面等に固定するための３種類のネジ挿通穴１１２Ｂ，１１３Ｂ，１１７Ｂ（１１２Ａ，１１３Ａ，１１７Ａ）を分散して設けると、それらの穴に挿通されるネジを回せるようにするためにアダプタケースに設けられるドライバ挿入穴（１２０ｄ）も分散することになり、それによってアダプタケースの部品収納空間が狭められてしまうためである。３種類のネジ挿通穴１１２Ｂ，１１３Ｂ，１１７Ｂを互いに近接して１直線上に並べて配置することで、ドライバ挿入穴（１２０ｄ）を小さくすることができる。
【００５９】
第３の理由は、ケース本体１２０Ａを安定して支えられるようにするためである。取付けベースプレート１１０に装着されたアダプタケース１２０を支持するのが、Ｌ字状のベース固定部１１１Ａと１１１Ｂ下端の水平片の２点のみであると不安定である。そこで、支持の安定性を高めるために水平片の面積を大きくすることが考えられるが、取付けベースプレート１１０は金属であるため、この水平片の面積を大きくするとビーコン信号の送信の妨げとなる。また、アダプタケース１２０のケース本体１２０Ａの差込み方向は、配線挿入口１１５との関係でベース固定部１１１Ａと１１１Ｂの並びの方向と同一の方向であるが望ましいので、ケース本体１２０Ａは差込み方向の手前側と先端側の２箇所で支えるのが良い。また、差込み方向の先端側に蓋部１２０Ｂを配設して蓋部１２０Ｂと結合することで、ケース本体１２０Ａの先端を支えることができる。そのため、本実施例のように、差込み方向の手前側のベース固定部１１１Ａ下端の水平片を大きくすることで、ケース本体１２０Ａを安定して支えることができる。
【００６０】
さらに、本実施形態においては、上記複数のネジ挿通穴１１２Ａ，１１２Ｂ；１１３Ａ，１１３Ｂ；１１７Ａ，１１７Ｂ；１１８Ａ，１１８ＢのいずれかにネジＮ１を挿入して取付けベースプレート１１０を天井面等に固定した際に、取付けベースプレート１１０の表面（下面）からネジＮ１の頭部が突出することになるため、図９に示すように、ケース本体１２０Ａの上面に逃がし用の凹部１２０ａが形成されている。そして、この凹部１２０ａは、図１０（Ｃ）にメッシュ（網掛け模様）が付されている部位に形成されている。
上記のような凹部１２０ａが形成されていることで、ケース本体１２０Ａをスライドさせて装着する際に、ケース本体１２０Ａの上壁にネジＮ１の頭部が干渉するのを回避することができる。また、ケース本体１２０Ａの上面にはスライド方向と平行な方向に沿って所定の間隔をおいて複数のリブＲが形成されており、これによりケース本体１２０Ａを取付けベースプレート１１０に沿って移動させる際の摩擦力を減らせるようになっている。
【００６１】
ここで、ケース本体１２０Ａの上面に逃がし用の凹部１２０ａを形成すると、その分内部の部品収納空間が狭められることになる。従って、凹部１２０ａの形成範囲（図１０(Ｃ)のメッシュ部分）はできるだけ小さいことが望ましい。本実施形態において、上述したように、ネジ挿通穴１１２Ａ，１１３Ａ，１１７Ａ，１１８Ａとネジ挿通穴１１２Ｂ，１１３Ｂ，１１７Ｂ，１１８Ｂを、それぞれ集中して設けられているのは、そのためである。
具体的には、図１０（Ａ）に破線Ｂ１，Ｂ２で示すような範囲に、ネジ挿通穴１１２Ａ，１１３Ａ，１１７Ａ，１１８Ａと１１２Ｂ，１１３Ｂ，１１７Ｂ，１１８Ｂがある場合、図１０（Ｂ）に示す網掛けの範囲が、ケース本体１２０Ａの上壁とネジＮ１の頭部が干渉する範囲となる。そこで、図１０（Ｃ）にメッシュが付されている部位に凹部１２０ａを形成するようにしたものである。
【００６２】
なお、火災感知器２００は、天井又は天井とみなせる固定器材（取付け具）に確実に取付けられる必要があるが、本実施形態の情報発信アダプタ１００は、ネジを用いて取付けベースプレート１１０を天井等の被取付け部Ｐに固定する構成であるため、取付けベースプレート１１０は天井とみなせる固定器材であると言える。そして、その取付けベースプレート１１０に、ネジを用いて火災感知器２００を取付けるため、火災感知器２００を確実に取付けることができる。すなわち、情報発信アダプタ１００は、火災感知器２００を取付け可能な被取付け部Ｐと同等の設置条件を満たし、火災感知器２００を取付けることができる。よって、本実施形態の情報発信アダプタ１００は、火災感知器２００の機能や性能に影響を与えることなく、火災感知器２００と被取付け部Ｐとの間に設置可能である。
【００６３】
以上、本発明の実施形態について説明したが、本発明は上記実施形態に限定されるものではない。例えば、上記実施形態では、情報発信アダプタ１００として発信機能を有するモジュールを内蔵した例を示したが、発信機能の他、受信機能を有するモジュールを内蔵するようにしても良い。また、火災感知器２００は、感知器ベース２１０と感知器本体２２０とに分離可能なものに限定されず適宜変更可能であり、例えば、感知器ベース２１０を備えない火災感知器、すなわち、感知器ベースを介することなく、被取付け部Ｐに一体的な構成のまま取付けられる火災感知器であっても良い。
【符号の説明】
【００６４】
１００  情報発信アダプタ
１１０  取付けベースプレート（ベース部材）
１１１Ａ，１１１Ｂ  ベース固定部（感知器固定部）
１１２，１１３，１１７，１１８  ネジ挿通穴
１１４  開口部
１１５  配線挿入口
１２０  アダプタケース（ケース部材）
１２０Ａ  ケース本体
１２０Ｂ  蓋部
１２３  開口
１２４  開口入口部
１２５Ａ，１２５Ｂ  段差部
１２８  係止片
１２９  切欠き
２００  火災感知器
２１０  感知器ベース
【図１】
2019061400.tif 000003
【図２】
2019061400.tif 000004
【図３】
2019061400.tif 000005
【図４】
2019061400.tif 000006
【図５】
2019061400.tif 000007
【図６】
2019061400.tif 000008
【図７】
2019061400.tif 000009
【図８】
2019061400.tif 000010
【図９】
2019061400.tif 000011
【図１０】
2019061400.tif 000012